【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
信号灯器を切り替える予定に関する情報を含む信号情報を作成する信号情報作成手段を有する交通信号制御機と、前記信号情報を車載装置に対して送信する路車間通信手段を有する路上通信装置とを含み、該交通信号制御機と該路上通信装置とが通信するように構成されている路上通信システムであって、
前記信号情報作成手段が作成した信号情報を、通信所要時間を用いて補正する信号情報補正手段をさらに有し、
前記路上通信装置は、前記信号情報補正手段が補正した信号情報を受信する
ことを特徴とする路上通信システム。
【請求項２】
前記信号情報は、現時点で表示している信号灯色の継続時間を含み、
前記信号情報補正手段は、前記通信所要時間を用いて前記継続時間を補正する
ことを特徴とする請求項１に記載の路上通信システム。
【請求項３】
前記信号情報は、現時点で表示している信号灯色とその継続時間を含み、
前記信号情報補正手段は、前記通信所要時間が前記継続時間を越える場合は、前記表示中の信号灯色をその次に表示される予定の信号灯色に補正するとともに、前記継続時間を前記通信所要時間及び前記その次に表示される予定の信号灯色の点灯時間を用いて補正する
ことを特徴とする請求項１に記載の路上通信システム。
【請求項４】
前記交通信号制御機は、所定の第一周期毎に前記信号情報を前記路上通信装置に送信するように構成されており、
前記路上通信装置は、前記信号情報を受信すると、該受信した時点から前記第一周期よりも短い所定の第二周期毎に、前記信号情報を更新する更新手段をさらに有する
ことを特徴とする請求項１乃至３のいずれか１つに記載の路上通信システム。
【請求項５】
信号灯器を切り替える予定に関する情報を含む信号情報を作成する信号情報作成手段を有する交通信号制御機と、前記信号情報を車載装置に対して送信する路車間通信手段を有する路上通信装置とを含み、該交通信号制御機と該路上通信装置とが通信するように構成されている路上通信システムであって、
前記信号情報作成手段は、前記信号情報の作成において通信所要時間を用いる
ことを特徴とする路上通信システム。
【請求項６】
信号灯器を切り替える予定に関する情報を含む信号情報を作成する信号情報作成手段と、
前記信号情報を路上通信装置に送信する手段とを有する交通信号制御機であって、
前記信号情報作成手段は、前記信号情報の作成において通信所要時間を用いる
ことを特徴とする交通信号制御機。
【手続補正２】
【補正対象書類名】明細書
【補正対象項目名】発明の名称
【補正方法】変更
【補正の内容】
【発明の名称】路上通信システム及び交通信号制御機
【手続補正３】
【補正対象書類名】明細書
【補正対象項目名】０００７
【補正方法】変更
【補正の内容】
【０００７】
本発明の路上通信システムは、信号灯器を切り替える予定に関する情報を含む信号情報を作成する信号情報作成手段を有する交通信号制御機と、前記信号情報を車載装置に対して送信する路車間通信手段を有する路上通信装置とを含み、該交通信号制御機と該路上通信装置とが通信するように構成されている路上通信システムであって、前記信号情報作成手段が作成した信号情報を、通信所要時間を用いて補正する信号情報補正手段をさらに有し、前記路上通信装置は、前記信号情報補正手段が補正した信号情報を受信する（請求項１）。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
通信に用いる通信回線は有線であっても無線であっても良い。また、ここにいう通信には、通信回線を通じた情報のやりとりだけでなく、内部バスや共有メモリ等を通じた情報のやりとりも含まれる。
【手続補正６】
【補正対象書類名】明細書
【補正対象項目名】００１０
【補正方法】変更
【補正の内容】
【００１０】
また、前記信号情報は、現時点で表示している信号灯色の継続時間を含み、前記信号情報補正手段は、前記通信所要時間を用いて前記継続時間を補正しても良い（請求項２）。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、前記信号情報は、現時点で表示している信号灯色とその継続時間を含み、前記信号情報補正手段は、前記通信所要時間が前記継続時間を越える場合は、前記表示中の信号灯色をその次に表示される予定の信号灯色に補正するとともに、前記継続時間を前記通信所要時間及び前記その次に表示される予定の信号灯色の点灯時間を用いて補正しても良い（請求項３）。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また、前記交通信号制御機は、所定の第一周期毎に前記信号情報を前記路上通信装置に送信するように構成されており、前記路上通信装置は、前記信号情報を受信すると、該受信した時点から前記第一周期よりも短い所定の第二周期毎に、前記信号情報を更新する更新手段をさらに有しても良い（請求項４）。
【手続補正１５】
【補正対象書類名】明細書
【補正対象項目名】００１９
【補正方法】変更
【補正の内容】
【００１９】
こうすることにより、交通信号制御機が大きめの第一周期（例えば１００ｍｓｅｃ）毎に信号情報を送信する場合であっても、路上通信装置が第一周期よりも短い第二周期（例えば１０ｍｓｅｃ）が経過する毎に信号情報を更新するため、車載装置に１０ｍｓｅｃ単位でより一層正確な信号情報を提供することができる。
また、第二の発明の路上通信システムは、信号灯器を切り替える予定に関する情報を含む信号情報を作成する信号情報作成手段を有する交通信号制御機と、前記信号情報を車載装置に対して送信する路車間通信手段を有する路上通信装置とを含み、該交通信号制御機と該路上通信装置とが通信するように構成されている路上通信システムであって、前記信号情報作成手段は、前記信号情報の作成において通信所要時間を用いる（請求項５）。
【手続補正１６】
【補正対象書類名】明細書
【補正対象項目名】００２０
【補正方法】変更
【補正の内容】
【００２０】
また、第三の発明の交通信号制御機は、信号灯器を切り替える予定に関する情報を含む信号情報を作成する信号情報作成手段と、前記信号情報を路上通信装置に送信する手段とを有する交通信号制御機であって、前記信号情報作成手段は、前記信号情報の作成において通信所要時間を用いる（請求項６）。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】